(57)【要約】【課題】投入口通路の通路幅の設定作業を容易に行うことのできる自動販売機の商品搬出装置を提供する。【解決手段】投入口通路の幅方向に延びるガイドスリット１７ｅを商品案内板１７に設け、通路幅設定部材１８の商品通路１３側を持ち上げるとガイドスリット１７ｅに係合するとともに、ガイドスリット１７ｅに沿って移動可能な突条１８ｄを通路幅設定部材１８に設けたので、通路幅設定部材１８を投入口通路１６の幅方向に移動させる際に、通路幅設定部材１８の商品投入口１５側と商品通路１３側とが投入口通路１６の幅方向に位置ずれを生じることはなく、通路幅設定部材１８を商品投入口１５側で位置決めして商品通路１３側を降ろすことにより係合片１８ｃを係合孔１７ｂに係合させることができ、投入口通路１６の通路幅の設定作業を容易に行うことが可能となる。【選択図】図６
2007265099.tif 000002
【特許請求の範囲】
【請求項１】
上下方向に延びるように設けられ、商品が積み重ねて収納される商品通路と、商品投入口から商品通路の上端に向かって下り傾斜をなすように設けられ、商品投入口から投入された商品を商品通路に案内する商品案内板と、商品投入口側の端部が商品投入口の幅方向に移動可能に、且つ、上下方向に回転可能に商品案内板に連結され、商品案内板に設けられた係合孔と係合可能な係合片を有し、商品通路側の端部を持ち上げることにより係合孔と係合片との係合を解除して商品投入口の幅方向に移動させ、係合片を商品案内板の所定の係合孔に係合させることにより、商品投入口と商品通路との間の投入口通路の通路幅を設定可能な通路幅設定部材とを備えた自動販売機の商品収納装置において、
前記商品案内板に、投入口通路の幅方向に延びる溝を設け、
通路幅設定部材に、通路幅設定部材の商品通路側を持ち上げると溝に係合するとともに、溝に沿って移動可能な突条を設けた
ことを特徴とする自動販売機の商品収納装置。
【請求項２】
前記通路幅設定部材を商品案内板に対して着脱自在に設けた
ことを特徴とする請求項１記載の商品収納装置。
【発明の詳細な説明】
【技術分野】
【０００１】
本発明は、缶、ビンまたはペットボトル入り飲料等の商品を販売する自動販売機の商品収納装置に関するものである。
【背景技術】
【０００２】
従来、この種の自動販売機の商品収納装置としては、上下方向に延びるように設けられ、商品が積み重ねて収納される商品通路と、商品投入口から商品通路の上端に向かって下り傾斜をなすように設けられ、商品投入口から投入された商品を商品通路に案内する商品案内板と、商品投入口側の端部が商品投入口の幅方向に移動可能に、且つ、上下方向に回転可能に商品案内板に連結され、商品案内板に設けられた係合孔と係合可能な係合片を有し、商品通路側の端部を持ち上げることにより係合孔と係合片との係合を解除して商品投入口の幅方向に移動させ、係合片を商品案内板の所定の係合孔に係合させることにより、商品投入口と商品通路との間の投入口通路の通路幅を設定可能な通路幅設定部材とを備えたものが知られている（例えば、特許文献１参照）。
【特許文献１】特開２００１−３１２７６８号公報
【発明の開示】
【発明が解決しようとする課題】
【０００３】
しかしながら、従来の自動販売機の商品収納装置では、投入口通路の通路幅を変更する際に、通路幅設定部材の後端側を持ち上げながら通路幅設定部材を投入口通路の幅方向に移動させると、通路幅設定部材の商品投入口側と商品通路側が投入口通路の幅方向に位置ずれを生じるため、通路幅設定部材の商品投入口側を位置決めして商品通路側を降ろすと、通路幅設定部材の係合片を商品案内板の係合孔に係合させることができず、投入口通路の通路幅の変更作業が煩雑になるという問題点があった。
【０００４】
本発明は前記問題点に鑑みてなされたものであり、その目的とするところは、投入口通路の通路幅の設定作業を容易に行うことのできる自動販売機の商品搬出装置を提供することにある。
【課題を解決するための手段】
【０００５】
本発明は前記目的を達成するために、上下方向に延びるように設けられ、商品が積み重ねて収納される商品通路と、商品投入口から商品通路の上端に向かって下り傾斜をなすように設けられ、商品投入口から投入された商品を商品通路に案内する商品案内板と、商品投入口側の端部が商品投入口の幅方向に移動可能に、且つ、上下方向に回転可能に商品案内板に連結され、商品案内板に設けられた係合孔と係合可能な係合片を有し、商品通路側の端部を持ち上げることにより係合孔と係合片との係合を解除して商品投入口の幅方向に移動させ、係合片を商品案内板の所定の係合孔に係合させることにより、商品投入口と商品通路との間の投入口通路の通路幅を設定可能な通路幅設定部材とを備えた自動販売機の商品収納装置において、前記商品案内板に、投入口通路の幅方向に延びる溝を設け、通路幅設定部材に、通路幅設定部材の商品通路側を持ち上げると溝に係合するとともに、溝に沿って移動可能な突条を設けている。
【０００６】
これにより、通路幅設定部材を投入口通路の幅方向に移動させる際に、通路幅設定部材に設けられた突条が商品案内板に設けられた溝に係合するとともに、溝に沿って移動することから、通路幅設定部材の商品投入口側と商品通路側とが投入口通路の幅方向に位置ずれを生じることはなく、通路幅設定部材を商品投入口側で位置決めして商品通路側を降ろすことにより係合片を係合孔に係合させることが可能となる。
【発明の効果】
【０００７】
本発明によれば、通路幅設定部材を投入口通路の幅方向に移動させる際に、通路幅設定部材の商品投入口側と商品通路側とが投入口通路の幅方向に位置ずれを生じることはなく、通路幅設定部材を商品投入口側で位置決めして商品通路側を降ろすことにより係合片を係合孔に係合させることができるので、投入口通路の通路幅の設定作業を容易に行うことが可能となる。
【発明を実施するための最良の形態】
【０００８】
図１乃至図６は本発明の一実施形態を示すもので、図１は本発明の商品収納装置を備えた自動販売機の側面断面図、図２は外扉及び内扉を開放した状態を示す自動販売機の全体斜視図、図３は商品案内板及び通路幅設定部材の斜視図、図４は商品案内板及び通路幅設定部材の分解斜視図、図５は通路幅設定部材の取付方法を示す商品案内板及び通路幅設定部材の側面断面図、図６は投入口通路の通路幅の設定方法を示す商品案内板及び通路幅設定部材の側面断面図である。
【０００９】
この商品収納装置を備えた自動販売機は、前面を開口した自動販売機本体１と、自動販売機本体１の左右一端に回動自在に支持され、自動販売機本体１の前面開口を開閉する外扉２と、自動販売機本体１内に設けられた商品収納部３と、商品収納部３の前面を開閉する内扉４とを有し、商品収納部３には前後一対の商品収納装置１０が幅方向に複数設けられている。
【００１０】
各商品収納装置１０は、自動販売機本体１の幅方向に対向する一対の側板１１と、一対の側板１１間の前後方向及び上下方向に取付けられた複数の円弧板１２とを備え、一対の側板１１間には、それぞれ上下方向に蛇行して延びる前後一対の商品通路１３が形成されている。商品通路１３には、円筒形状の缶入り飲料やペットボトル入り飲料等の商品を横倒しにした状態で上下方向に積み重ねて収納されるようになっている。各商品通路１３の下方には、商品通路１３内の商品を一つずつ下方に落下搬出する周知の商品搬出機構１４がそれぞれ設けられている。
【００１１】
前後一対の商品収納装置１０のうち前側に位置する商品収納装置１０の上部には、前側及び後側の商品収納装置１０の各商品通路１３に収納する商品をそれぞれ投入するために上下四つの商品投入口１５が設けられている。
【００１２】
各商品投入口１５と各商品通路１３の上端との間には、商品投入口１５から投入された商品を商品通路１３の上端に案内するための投入口通路１６がそれぞれ設けられている。投入口通路１６は、商品投入口１５から商品通路１３の上端に向かって下り傾斜をなすように一対の側板１１間に設けられた商品案内板１７によって形成されている。前後の商品収納装置１０に亘って設けられる投入口通路１６は、各商品収納装置１０ごとに設けられた商品案内板１７によって形成されている。また、投入口通路１６には、商品収納装置１０に収納する商品の長さ寸法に応じた投入口通路１６の幅寸法に設定するための通路幅設定部材１８が設けられている。
【００１３】
商品案内板１７は、前後両端の幅方向に亘ってカーリング加工を施すことによって筒部１７ａが設けられている。また、商品案内板１７には、通路幅設定部材１８の後述する係合片と係合可能な前後方向に延びる長孔状に形成された複数の係合孔１７ｂが互いに幅方向に間隔をおいて設けられている。前側の商品収納装置１０に取付けられる商品案内板１７の前側には、通路幅設定部材１８の後述する操作片が挿入された状態で幅方向に移動可能な操作スリット１７ｃが幅方向に延びるように設けられている。また、操作スリット１７ｃの幅方向一端側には、操作スリット１７ｃのスリット幅よりも大きく開口され、操作片を挿抜可能な着脱部１７ｄが設けられ、商品案内板１７に対して通路幅設定部材１８を着脱することができるようになっている。更に、操作スリット１７ｃの後側には、後述する操作片の突条を幅方向に案内する溝としてのガイドスリット１７ｅが幅方向に延びるように設けられている。
【００１４】
通路幅設定部材１８は、商品投入口１５から商品通路１３の上端に亘って延びる金属製の板状部材からなり、底部及び側部を有するＬ字状に形成されている。通路幅設定部材１８は、底部前端側に断面Ｕ字状の連結部１８ａが設けられ、商品案内板１７の前端の筒部１７ａに幅方向に移動自在に、且つ、上下方向に回転自在に連結されている。また、通路幅設定部材１８は、側部後端側に商品通路１３の通路幅を設定するための図示しない可動側板が連結されている。通路幅設定部材１８の底部前側及び底部後側には、底部の幅方向端部から下方に延びる係合片１８ｂがそれぞれ設けられ、係合片１８ｂを商品案内板１７の所定の係合孔１７ｂと係合させることにより通路幅設定部材１８が商品案内板１７に位置決めされるようになっている。通路幅設定部材１８の連結部１８ａと前側の係合片１８ｂとの間には、底部を切り起こすことにより、底部の下方を後方に延びる操作片１８ｃが設けられている。操作片１８ｃは、後端側を上下に屈曲することにより、幅方向に亘って上方に突出する突条１８ｄが設けられている。
【００１５】
以上のように構成された自動販売機の商品収納装置１０において、投入口通路１６に通路幅設定部材１８を取付ける場合には、前側の商品収納装置１０に設けられた商品案内板１７の着脱部１７ｄに通路幅設定部材１８の操作片１８ｃの後端を上方から挿入し、操作片１８ｃを撓ませながら通路幅設定部材１８を後方に移動させて連結部１８ａを商品案内板１７の前側の筒部１７ａに連結する。
【００１６】
また、投入口通路１６に取付けられた通路幅設定部材１８によって投入口通路１６の通路幅を設定する場合には、まず、商品案内板１７の下方から操作片１８ｃを上方に押し上げることにより通路幅設定部材１８の後端側を持ち上げて係合片１８ｂと係合孔１７ｂとの係合を解除する。このとき、操作片１８ｃの後端側の突条１８ｄはガイドスリット１７ｅに下方から挿入された状態となっている。次に、操作片１８ｃを押し上げたまま通路幅設定部材１８を幅方向に移動させ、所定位置で通路幅設定部材１８の係合片１８ｃを商品案内板１７の所定の係合孔１７ｂに係合させる。このとき、突条１８ｄはガイドスリット１７ｅに沿って移動することから、通路幅設定部材１８は、前端側に対して後端側が幅方向に位置ずれを生じることなく投入口通路１６と平行に幅方向に移動する。
【００１７】
また、通路幅設定部材１８を投入口通路１６から取外す場合には、まず、操作片１８ｃを上方に押し上げながら通路幅設定部材１８を幅方向に移動させ、操作片１８ｃを着脱部１７ｄに移動させる。次に、通路幅設定部材１８を前方に移動させて連結部１８ａと商品案内板１７の筒部１７ａの連結を解除して斜め上方に持ち上げることにより、投入口通路１６から通路幅設定部材１８が取外される。
【００１８】
このように、本実施形態の自動販売機の商品収納装置によれば、投入口通路の幅方向に延びるガイドスリット１７ｅを商品案内板１７に設け、通路幅設定部材１８の商品通路１３側を持ち上げるとガイドスリット１７ｅに係合するとともに、ガイドスリット１７ｅに沿って移動可能な突条１８ｄを通路幅設定部材１８に設けたので、通路幅設定部材１８を投入口通路１６の幅方向に移動させる際に、通路幅設定部材１８の商品投入口１５側と商品通路１３側とが投入口通路１６の幅方向に位置ずれを生じることはなく、通路幅設定部材１８を商品投入口１５側で位置決めして商品通路１３側を降ろすことにより係合片１８ｃを係合孔１７ｂに係合させることができ、投入口通路１６の通路幅の設定作業を容易に行うことが可能となる。
【００１９】
また、通路幅設定部材１８を商品案内板１７に対して着脱自在に設けたので、商品収納装置１０から商品案内板１７を取外すことなく通路幅設定部材１８を取外すことができ、商品収納装置１０のメンテナンス性の向上を図ることが可能となる。
【図面の簡単な説明】
【００２０】
【図１】本発明の一実施形態を示す商品収納装置を備えた自動販売機の側面断面図
【図２】外扉及び内扉を開放した状態を示す自動販売機の全体斜視図
【図３】商品案内板及び通路幅設定部材の斜視図
【図４】商品案内板及び通路幅設定部材の分解斜視図
【図５】通路幅設定部材の取付方法を示す商品案内板及び通路幅設定部材の側面断面図
【図６】投入口通路の通路幅の設定方法を示す商品案内板及び通路幅設定部材の側面断面図
【符号の説明】
【００２１】
１０…商品収納装置、１３…商品通路、１５…商品投入口、１６…投入口通路、１７…商品案内板、１７ａ…筒部、１７ｂ…係合孔、１７ｃ…操作スリット、１７ｄ…着脱部、１７ｅ…ガイドスリット、１８…通路幅設定部材、１８ａ…連結部、１８ｂ…係合片、１８ｃ…操作片、１８ｄ…突条。
【図１】
2007265099.tif 000003
【図２】
2007265099.tif 000004
【図３】
2007265099.tif 000005
【図４】
2007265099.tif 000006
【図５】
2007265099.tif 000007
【図６】
2007265099.tif 000008